(57)【要約】【課題】筐体の外側の面に配置される部品の増加が抑えられる携帯端末を提供する。【解決手段】イヤホンジャック３０内のセンサ部３４は、受け口３６に加わる圧力もしくは可動量を検出し、イヤホンジャック３０をポインティングデバイスとして機能させる。イヤホンプラグ５１がイヤホンジャック３０に接続されていた場合、制御部２１は、実行中のアプリケーションがイヤホンプラグの使用とポインティングデバイス機能の使用との両立を許可しているものであるか否かを判別する（Ｓ３）。この両立が許可されている場合、制御部２１は、イヤホンプラグの使用を可能にし、ポインティングデバイス機能の使用を可能に設定する（Ｓ６）。【選択図】図５
2014192749.tif 000002
【特許請求の範囲】
【請求項１】
ポインティングデバイスによる操作を受け付ける携帯端末であって、
プラグが挿し込まれる受け口を有し、前記受け口に対する操作を検出するジャック部と、
前記プラグが前記受け口に挿し込まれた場合、前記携帯端末の使用状況を判別し、前記判別された使用状況に基づき、前記受け口に対する操作を前記ポインティングデバイスの操作とする機能を有効または無効に制御する制御部と、
を備えたことを特徴とする携帯端末。
【請求項２】
前記制御部は、前記プラグが前記受け口に挿し込まれていない場合、前記受け口に対する操作を前記ポインティングデバイスの操作とする機能を有効にする、
ことを特徴とする請求項１記載の携帯端末。
【請求項３】
前記携帯端末の使用状況は、前記制御部が実行しているアプリケーションの種類によって決定される、
ことを特徴とする請求項１記載の携帯端末。
【請求項４】
前記ジャック部は、前記受け口に加わる圧力を検出するセンサ部を有する、
ことを特徴とする請求項１記載の携帯端末。
【請求項５】
前記ジャック部は、前記受け口の可動量を検出するセンサ部を有する、
ことを特徴とする請求項１記載の携帯端末。
【請求項６】
前記プラグは、イヤホンプラグであり、
前記ジャック部は、イヤホンジャックである、
ことを特徴とする請求項１記載の携帯端末。
【請求項７】
前面に表示部が配置された筐体を有し、
前記ジャック部は前記筐体の側面に配置された、
ことを特徴とする請求項１記載の携帯端末。
【発明の詳細な説明】
【技術分野】
【０００１】
本発明は、携帯端末に関する。
【背景技術】
【０００２】
近年、携帯電話等、多くの小型の端末には、ボリュームキー、電源キー等の複数のハードウェアインタフェースが備わっている。
【０００３】
また、タッチパネル、タッチパッド、トラックポイント（登録商標）、トラックボール等、様々な種類の入力インタフェースを備えた端末が存在する。
【０００４】
これらの端末には、入力インタフェースと共に、イヤホンジャック、ＵＳＢポート、ＨＤＭＩ（登録商標）、ポート等の端子ジャックも備わっているものが多い。特に、スマートフォンのようなメディア再生機能を備えた端末の場合、これらのジャック端子がほぼ備わっている。また、複数種類のジャック端子を備えたものも存在する。
【０００５】
この種の先行技術として、着信画像を画面に表示する携帯端末がある（特許文献１参照）。
【先行技術文献】
【特許文献】
【０００６】
【特許文献１】特開２００７−３１２２６２号公報
【発明の概要】
【発明が解決しようとする課題】
【０００７】
しかしながら、従来の携帯端末には、つぎのような問題があった。携帯端末は、その性質上、厚さの薄い筐体を有する。このため、操作ボタンや端子ジャックは、筐体の外周である側面に配置される。携帯端末が小型である程、これらの部品は、筐体の側面に密集する。
【０００８】
筐体の側面に配置される操作ボタン等の部品が増加すると、携帯端末のデザイン上の制約が増加する。さらに、携帯端末を手で把持した際、誤操作や意図しない入力の原因になる。
【０００９】
本発明は、かかる点に鑑みてなされたものであり、外側の面に配置される部品の増加が抑えられる携帯端末を提供することを目的とする。
【課題を解決するための手段】
【００１０】
（１）本発明は、ポインティングデバイスによる操作を受け付ける携帯端末であって、プラグが挿し込まれる受け口を有し、前記受け口に対する操作を検出するジャック部と、前記プラグが前記受け口に挿し込まれた場合、前記携帯端末の使用状況を判別し、前記判別された使用状況に基づき、前記受け口に対する操作を前記ポインティングデバイスの操作とする機能を有効または無効に制御する制御部と、を備えた携帯端末である。
（２）本発明は、（１）の構成に加え、前記制御部は、前記プラグが前記受け口に挿し込まれていない場合、前記受け口に対する操作を前記ポインティングデバイスの操作とする機能を有効にする携帯端末である。
【００１１】
（３）本発明は、（１）の構成に加え、前記携帯端末の使用状況は、前記制御部が実行し
ているアプリケーションの種類によって決定される携帯端末である。
（４）本発明は、（１）の構成に加え、前記ジャック部は、前記受け口に加わる圧力を検出するセンサ部を有する携帯端末である。
（５）本発明は、（１）の構成に加え、前記ジャック部は、前記受け口の可動量を検出するセンサ部を有する携帯端末である。
【００１２】
（６）本発明は、（１）の構成に加え、前記プラグは、イヤホンプラグであり、前記ジャック部は、イヤホンジャックである携帯端末である。
（７）本発明は、（１）の構成に加え、前面に表示部が配置された筐体を有し、前記ジャック部は前記筐体の側面に配置された携帯端末である。
【発明の効果】
【００１３】
本発明によれば、外側の面に配置される部品の増加が抑えられる携帯端末を提供できる。
【図面の簡単な説明】
【００１４】
【図１】実施の形態における携帯端末１０の外観を示す図である。
【図２】携帯端末１０の構成を示すブロック図である。
【図３】ポインティングデバイスの機能が組み込まれたイヤホンジャック３０の構造を示す断面図である。
【図４】イヤホンプラグ５１が接続されていないイヤホンジャック３０の操作例を示す図である。
【図５】はイヤホンプラグ５１が接続されている場合のポインティングデバイスの操作例を示す図である。
【図６】ポインティングデバイスの操作の機能設定手順を示すフローチャートである。
【図７】アプリケーションの種類に対応するポインティングデバイス機能のオン／オフが設定されたテーブル２０ａの内容を示す図である。
【発明を実施するための形態】
【００１５】
以下、本発明の一実施形態について図面を参照して説明する。図１は実施の形態における携帯端末１０の外観を示す図である。図２は携帯端末１０の構成を示すブロック図である。
【００１６】
携帯端末１０は、筺体１０ａの外部に配置された、ディスプレイ１１、キー操作部１２、マイク１３、スピーカ１６、発光部１４、撮影部１５及びイヤホンジャック３０を有する。また、携帯端末１０は、筺体１０ａの内部に収容された、信号処理部１７、無線部１８、振動部１９、記憶部２０、制御部２１及び電源部２２を有する。
【００１７】
ディスプレイ１１（表示部）は、筺体１０ａの前面に配置され、文字や画像等のカラー表示を行うバックライト方式の液晶ディスプレイであり、液晶パネルとこの液晶パネルに背部から光を照射するためのバックライトを有する。
【００１８】
ディスプレイ１１は、制御部２１から入力された制御信号に基づき文字、図形、記号、画像などの各種情報を表示する。また、ディスプレイ１１には、液晶ディスプレイに限らず、例えば、有機ＥＬディスプレイや、複数のＬＥＤ(Light  Emitting  Diode)がマトリックス上に配列されたディスプレイが用いられてもよい。また、ディスプレイ１１には、ユーザによる画面へのタッチ操作に応じた入力信号を制御部２１に出力可能なタッチパネルが用いられてもよい。
【００１９】
キー操作部１２は、０〜９，♯，＊等のボタンを有し、ユーザの入力操作に応じた入力信号を制御部２１に出力する。その入力操作は、例えば、着信や発信時の入力、音量の調整入力、ディスプレイ１１の輝度調整の入力、電源オン／オフの切替入力、ディスプレイ１１の表示画面の切替入力、更には、アラーム報知時刻に所望のスケジュール内容を対応付けたアラーム設定情報の入力等である。
【００２０】
スピーカ１６は、制御部２１の音声出力処理に応じて信号処理部１７から出力されるアナログ信号に基づき外部に音を出力する。信号処理部１７には、制御部２１からデジタル信号が入力され、信号処理部１７でアナログ信号に変換され、スピーカ１６に出力される。
【００２１】
マイク１３は、外部からの音声をアナログ信号に変換し、信号処理部１７を介して制御部２１に出力する。信号処理部１７には、マイク１３からアナログ信号が入力され、信号処理部１７でデジタル信号に変換され、このデジタル信号は制御部２１に出力される。
【００２２】
発光部１４は、ＬＥＤ等の発光素子からなり、制御部２１から出力された制御信号によって外部へ光を照射する。発光部１４は、電話の着信、メールの受信、アラーム日時到来等を、外部へ光を照射することにより報知する。
【００２３】
撮影部１５は、キー操作部１２からの入力操作に応じて動画や静止画を撮影する。この撮影された動画や静止画は、制御部２１を介して記憶部２０に記憶される。
【００２４】
イヤホンジャック３０は、筺体１０ａの側面に配置される。イヤホンジャック３０には、スピーカ１６に出力される信号と同様の信号が信号処理部１７から出力される。また、イヤホンジャック３０には、ケーブル５２を介して、ユーザの頭部に装着されるイヤホン５０に繋がるイヤホンプラグ５１が接続される。イヤホンジャック３０の詳細な構成については後述する。
【００２５】
無線部１８は、アンテナ１８ａを有し、アンテナ１８ａを介して電波を送受信することで、他携帯端末や基地局と無線通信を行う。この際、無線部１８は、アンテナ１８ａで受信される所定の高周波信号に対して復調及び復号処理を行いデジタル音声信号へと変換する。また、制御部２１から入力されたデジタル音声信号に符号化及び変調処理を行い、高周波信号に変換してアンテナ１８ａから送信する。また、無線部１８は、他の携帯端末等とアンテナ１８ａを介してメールの送受信動作を行う。
【００２６】
振動部１９は、モータを備え、制御部２１から出力された制御信号によって機械的振動を発生する。例えば、電話の着信、メールの受信、アラーム日時到来などを機械的振動によって報知する。
【００２７】
記憶部２０は、携帯端末１０の各種機能を制御するプログラムや、発着信対象となる複数のユーザの電話番号及びメールアドレス等のユーザ情報、着信音及び着信画像や待受け画像等のコンテンツ情報を記憶する。また、記憶部２０には、後述するテーブル２０ａが登録されている。
【００２８】
制御部２１は、ＣＰＵ(Central  Processing  Unit)及びＤＳＰ(Digital  Signal  Processor)等で構成され、携帯端末１０の各部を制御し、携帯端末１０を統括的に管理して
各種の機能を実行する。例えば、制御部２１は、キー操作部１２の入力操作に基づき、携帯端末１０に備えられたメール機能、電話機能、アラーム報知機能などを実行し、記憶部２０に入力情報を記憶し、記憶部２０に記憶されたプログラムを実行する。
【００２９】
電源部２２は、充電用の電池２２ａを内蔵し、携帯端末１０の各部に電力を供給する。
【００３０】
図３はポインティングデバイスの機能が組み込まれたイヤホンジャック３０の構造を示す断面図である。イヤホンジャック３０は、前述したように、筐体１０ａの側面に配置されている。イヤホンジャック３０は、イヤホンプラグ５１の受け口３６となる、開口部３１が形成され、イヤホンプラグ５１が挿し込まれる円筒部３２、及び、開口部３１の周縁に形成され、筐体１０ａと係合するフランジ部３３を有する。円筒部３２は、筐体１０ａの側壁を貫通するように設けられている。
【００３１】
円筒部３２の内壁面には、イヤホンプラグ５１がイヤホンジャック３０の受け口３６に挿し込まれた場合、イヤホンプラグ５１の端子５１ａ、５１ｂ、５１ｃとそれぞれ接触する接点３５ａ、３５ｂ、３５ｃを有するジャック端子３５が設けられている。
【００３２】
また、イヤホンジャック３０は、フランジ部３３及び円筒部３２からなる受け口３６に加わる圧力もしくは可動量を検出するセンサ部３４を有する。
【００３３】
センサ部３４は、圧電素子を有し、その面内方向（ｘ方向及びｙ方向）の圧力を検出するものであり、筐体１０ａに内蔵され、制御部２１等が実装されたプリント基板４３に台座４１を介して実装される。また、センサ部３４は、イヤホンプラグ５１が受け口３６に挿し込まれた場合、その先端部と当接し、面内に対して垂直方向（ｚ方向）の圧力を検出する。これにより、イヤホンプラグ５１がイヤホンジャック３０の受け口３６に挿し込まれたことが検出される。
【００３４】
図４はイヤホンプラグ５１が接続されていないイヤホンジャック３０の操作例を示す図である。図４（Ａ）に示すように、トラックポイント（登録商標）型の場合、つまり、イヤホンジャック３０の受け口３６が可動域を有しない場合、指７１でイヤホンジャック３０の受け口３６を触り、面内方向に力を加えると、センサ部３４は、円筒部３２を介して指７１による受け口３６に加わる圧力を検出する。イヤホンジャック３０の受け口３６が可動域を有しない場合、占有する面積を小さくすることができ、携帯端末１０の側面に配置される自由度が増す。
【００３５】
また、図４（Ｂ）に示すように、ジョイステック型の場合、つまり、イヤホンジャック３０の受け口３６が可動域を有する場合、指７１でイヤホンジャック３０の受け口３６を触り、面内方向にずらすと、センサ部３４は、円筒部３２を介して指７１による受け口３６の可動量を検出する。
【００３６】
図５はイヤホンプラグ５１が接続されている場合のポインティングデバイスの操作例を示す図である。図５（Ａ）に示すように、図４（Ａ）と同様、トラックポイント（登録商標）型の場合、つまり、イヤホンジャック３０の受け口３６が可動域を有しない場合、２本の指７１でイヤホンジャック３０の受け口３６に挿し込まれたイヤホンプラグ５１を挟み、面内方向に力を加えると、センサ部３４は、円筒部３２を介して２本の指７１による受け口３６に加わる圧力を検出する。この場合、イヤホンプラグ５１に繋がれているケーブル５２のプラグ側の端部は、補助スティックの用途として使用される。
【００３７】
また、図５（Ｂ）に示すように、図４（Ｂ）と同様、ジョイステック型の場合、つまり、イヤホンジャック３０の受け口３６が可動域を有する場合、２本の指７１でイヤホンジャック３０の受け口３６に挿し込まれたイヤホンプラグ５１を挟み、面内方向にずらすと、センサ部３４は、円筒部３２を介して２本の指７１による受け口３６の可動量を検出する。
【００３８】
上記構成を有する携帯端末１０におけるポインティングデバイスの操作の機能設定を示す。図６はポインティングデバイスの操作の機能設定手順を示すフローチャートである。このフローチャートで示される制御プログラムは、記憶部２０に記憶されており、制御部２１によって実行される。ここで、イヤホンジャック３０の受け口３６に対する操作をポインティングデバイスの操作とする機能を、単にポインティングデバイス機能と称する。
【００３９】
制御部２１は、イヤホンプラグ５１がイヤホンジャック３０に未接続である場合、イヤホンジャック３０のポインティングデバイス機能を使用可能に設定する（ステップＳ１）。つまり、イヤホンジャック３０にイヤホンプラグ５１が接続されていない場合、単体のポインティングデバイスとして、その機能が使用可能になる。なお、イヤホンジャック３０の受け口３６にジャックカバーが装着されている場合も、この機能が使用可能である。
【００４０】
制御部２１は、イヤホンジャック３０にイヤホンプラグ５１が接続されたか否かを判別する（ステップＳ２）。イヤホンプラグ５１が接続されていない場合、制御部２１は、ステップＳ１の処理に戻る。
【００４１】
一方、イヤホンプラグ５１が接続されていた場合、制御部２１は、実行中のアプリケーション（単に、アプリという）がイヤホンプラグの使用とポインティングデバイス機能の使用との両立を許可しているものであるか否かを判別する（ステップＳ３）。このステップＳ３の処理では、制御部２１は、記憶部２０に登録されているテーブル２０ａを参照し、前述した両立の許可を判別する。
【００４２】
図７はアプリケーションの種類に対応するポインティングデバイス機能のオン／オフが設定されたテーブル２０ａの内容を示す図である。このテーブル２０ａには、例えば、プッシュツートークのような通話アプリでは、ポインティングデバイス機能がオン（有効）に設定されている。一方、音楽を再生する音楽アプリや、動画を再生する動画アプリでは、ポインティングデバイス機能がオフ（無効）に設定されている。また、ゲームアプリでは、ポインティングデバイス機能がオン（有効）に設定されている。なお、イヤホンプラグの使用は常に許可されているものとする。
【００４３】
ステップＳ３の判別の結果、イヤホンプラグの使用とポインティングデバイス機能の使用との両立が許可されていない場合、制御部２１は、イヤホンプラグの使用を可能にし、ポインティングデバイス機能の使用を不可に設定する（ステップＳ４）。つまり、イヤホンジャック３０は単なるイヤホンジャックとして機能する。
【００４４】
制御部２１は、イヤホンプラグ５１の接続が解除されたか否かを判別する（ステップＳ５）。イヤホンプラグ５１がイヤホンジャック３０に接続されたままである場合、制御部２１は、ステップＳ３の処理に戻る。一方、イヤホンプラグ５１の接続が解除された場合、制御部２１はステップＳ１の処理に戻る。
【００４５】
一方、ステップＳ３の判別の結果、イヤホンプラグの使用とポインティングデバイス機能の使用との両立が許可されている場合、制御部２１は、イヤホンプラグの使用を可能にし、さらに、ポインティングデバイス機能の使用を可能に設定する（ステップＳ６）。なお、ポインティングデバイス機能の使用は、イヤホンプラグの使用と何ら干渉しないものとする。このように、携帯端末１０の使用状況を決定するものとして、あらかじめテーブル２０ａに登録された、現在実行中のアプリケーションの種類に応じて、ポインティングデバイス機能が使用可能であるか否かが判別される。また、テーブル２０ａの内容は、ユーザが随時に更新可能であり、個人ごとに最適な設定が可能である。この後、制御部２１は、前述したステップＳ５の処理に進む。
【００４６】
本実施形態の携帯端末１０によれば、筐体１０ａの外面に配置されるボタン等の部品の増加が抑えられる。即ち、イヤホンジャック３０は、イヤホンジャックとポインティングデバイスの機能が統合されたものであるので、携帯端末１０の外周である側面に配置されるボタン等の数が減少し、デザインの自由度が増す。また、ボタン等の数が減少したことで、携帯端末を手で把持した際、意図しないボタン押下等が起こりにくくなる。
【００４７】
また、使用しているアプリケーションの種類に応じて、イヤホンジャック３０の受け口に対する操作をポインティングデバイスの操作とする機能が自動的に有効（オン）または無効（オフ）に設定される。これにより、携帯端末の使用状況を的確に判別できる。また、特定の使用状況に限って、イヤホンとポインティングデバイス機能の同時使用が可能となる。従って、イヤホンジャック３０の受け口３６にイヤホンプラグ５１が挿し込まれた場合でも、誤入力等による意図しない動作の実行が回避される。つまり、アプリケーションの実行中、携帯端末の側面から飛び出ているケーブル５２等の部分が何かに引っかかっても、思わぬ誤入力を招く事態は回避される。
【００４８】
例えば、音楽再生中にケーブルが引っかかり、勝手に次の曲が再生されてしまうことが無くなる。一方、イヤホンマイクを使用しながらハードキーを押し続けるプッシュツートークのような通話時の操作が簡単になる。
【００４９】
また、イヤホンジャック３０の受け口３６にイヤホンプラグ５１が挿し込まれた場合、イヤホンプラグ５１及びそのケーブル５２は、筐体１０ａの面から突出した状態となる。ジョイステック型のイヤホンジャック３０の場合、フランジ部３３及び円筒部３２からなる受け口３６は、可動域を有するので、この状態で、イヤホンプラグ５１やケーブル５２が何かに当たっても、ショックアブソーバのような役割を果たし、ジャックやプラグが破損することは起きにくい。
【００５０】
なお、本発明は、上記実施形態の構成に限られるものではなく、特許請求の範囲で示した機能、または本実施形態の構成が持つ機能が達成できる構成であればどのようなものであっても適用可能である。
【００５１】
例えば、上記実施形態では、ジャック部（端子ジャック）として、イヤホンジャックを挙げたが、これに限られず、ＵＳＢポート、ＨＤＭＩ（登録商標）ポート等であってもよい。また、端子ジャックに接続されるプラグとして、ケーブルに取り付けられたイヤホンプラグを挙げたが、これに限られず、ＵＳＢコネクタ、ＨＤＭＩ（登録商標）コネクタ等であってもよい。
【００５２】
また、上記実施形態では、携帯端末の使用状況の決定として、携帯端末が実行しているアプリケーションの種類を判別していたが、実行中のアプリケーションの数を判別してもよい。例えば、同時に実行しているアプリケーションが複数である場合、切り替え操作を容易にするために、受け口に対する操作をポインティングデバイスの操作とする機能をオンにし、単数である場合、オフにしてもよい。
【００５３】
また、イヤホンジャックの受け口を覆うジャックカバーが装着され、このジャックカバーに所望のデザインを施し、カスタマイズすることも可能である。
【００５４】
また、携帯端末として、携帯電話機、スマートフォン、タブレット端末等が挙げられる。
【符号の説明】
【００５５】
１０  携帯端末
１０ａ  筐体
１１  ディスプレイ
１２  キー操作部
１３  マイク
１４  発光部
１５  撮影部
１６  スピーカ
１７  信号処理部
１８  無線部
１８ａ  アンテナ
１９  振動部
２０  記憶部
２０ａ  テーブル
２１  制御部
２２ａ  電池
２２  電源部
３０  イヤホンジャック
３１  開口部
３２  円筒部
３３  フランジ部
３４  センサ部
３５  ジャック端子
３５ａ、３５ｂ、３５ｃ  接点
３６  受け口
４１  台座
４３  プリント基板
５０  イヤホン
５１  イヤホンプラグ
５１ａ、５１ｂ、５１ｃ  端子
５２  ケーブル
【図１】
2014192749.tif 000003
【図２】
2014192749.tif 000004
【図３】
2014192749.tif 000005
【図４】
2014192749.tif 000006
【図５】
2014192749.tif 000007
【図６】
2014192749.tif 000008
【図７】
2014192749.tif 000009